(57)【特許請求の範囲】
【請求項１】
Ａ１端子、Ａ２端子、Ｈ１端子、Ｈ２端子とを備えたブロッキングフィルタにおいて、
Ｐ巻線とＱ巻線とを有する第一のトランスと、
Ｒ巻線とＳ巻線とを有する第二のトランスと、
上記第一のトランスと上記第二のトランスとの間に配置され、上記第一のトランスのＱ巻線と第二のトランスのＲ巻線との間に挿入され、上記Ｑ巻線と上記Ｒ巻線とへ接続するバンドパスフィルタと、
Ａ２端子とＨ２端子とを接続した接続点に一方の端子を接続するようにしたコンデンサと
を備え、
上記Ｐ巻線と上記Ｓ巻線とは、それぞれ二つの端子を有し、
上記Ａ１端子は、上記Ｐ巻線の一方の端子と接続し、
上記Ｈ１端子は、上記Ｓ巻線の一方の端子と接続し、
上記Ｐ巻線の他方の端子は、上記Ｓ巻線の他方の端子へ接続し、
上記コンデンサの他方の端子は、上記Ｐ巻線の他方の端子と上記Ｓ巻線の他方の端子とを接続する接続点へ接続することを特徴とするブロッキングフィルタ。
【請求項２】
上記第一のトランスと上記第二のトランスとの少なくともいずれか一方は、二分割コアを電線に挟みこんだ後に、コアを合わせて形成することを特徴とする請求項１記載のブロッキングフィルタ。
【請求項３】
Ａ１端子、Ａ２端子、Ｈ１端子、Ｈ２端子とを備えたブロッキングフィルタにおいて、
Ｐ巻線とＱ巻線とを有し、上記Ｐ巻線の一方の端子が上記Ａ１端子と接続するする第一のトランスと、
Ｒ巻線とＳ巻線とを有し、上記Ｓ巻線の一方の端子が上記Ｈ１端子と接続する第二のトランスと、
上記第一のトランスのＱ巻線と上記第二のトランスのＲ巻線との間に配置されるバンドパスフィルタと、
上記Ｐ巻線の他方の端子と、上記Ｓ巻線の他方の端子との間に配置され、上記Ｐ巻線の他方の端子と上記Ｓ巻線の他方の端子とへ接続するインダクタンスと、
Ａ２端子と接続し、上記インダクタンスと上記Ｐ巻線の他方の端子とを接続する接続点へ接続する第一のコンデンサと、
Ｈ２端子と接続し、上記インダクタンスと上記Ｓ巻線の他方の端子とを接続する接続点へ接続する第二のコンデンサと
を備えることを特徴とするブロッキングフィルタ。
【請求項４】
上記ブロッキングフィルタは、さらに、
上記第一のトランスのＰ巻線と並列に接続するコンデンサと、
上記第二のトランスのＳ巻線と並列に接続するコンデンサと
を備えることを特徴とする請求項１記載のブロッキングフィルタ。
【請求項５】
Ａ１端子、Ａ２端子、Ｈ１端子、Ｈ２端子とを備えたブロッキングフィルタにおいて、
Ｐ巻線とＱ巻線とを有しＰ巻線の一方の端子が上記Ａ１端子と接続する第一のトランスと、
Ｒ巻線とＳ巻線とを有しＳ巻線の一方の端子が上記Ｈ１端子と接続する第二のトランスと、
Ｔ巻線とＵ巻線とを有しＴ巻線の一方の端子が上記Ａ２端子と接続する第三のトランスと、
Ｖ巻線とＷ巻線とを有しＷ巻線の一方の端子が上記Ｈ２端子と接続する第四のトランスと、
上記第一のトランスのＱ巻線と上記第二のトランスのＲ巻線との間に配置される第一のバンドパスフィルタと、
上記第三のトランスのＵ巻線と上記第四のトランスのＶ巻線との間に配置される第二のバンドパスフィルタと、
コンデンサと
を備え、
上記第二のトランスのＳ巻線の他方の端子は、上記第一のトランスのＰ巻線の他方の端子へ接続し、
上記第四のトランスのＷ巻線の他方の端子は、上記第三のトランスのＴ巻線の他方の端子へ接続し、
上記コンデンサは、上記Ｓ巻線の他方の端子が上記Ｐ巻線の他方の端子へ接続する接続点と上記Ｗ端子の他方の端子が上記Ｔ端子の他方のへ接続する接続点とへ接続することを特徴とするブロッキングフィルタ。
【請求項６】
上記ブロッキングフィルタは、積算電力計に備えられ、
上記第一のトランスのＰ巻線と上記第二のトランスのＳ巻線との少なくともいずれか一方は、積算電力計が有するコイルであることを特徴とする請求項１記載のブロッキングフィルタ。
【請求項７】
上記第一のトランスのＰ巻線と上記第二のトランスのＳ巻線との少なくともいずれか一方は、上記コイルに対応するインダクタを有することを特徴とする請求項６記載のブロッキングフィルタ。
【請求項８】
第一の線と、
第二の線と、
第三の線と、
第四の線と、
上記第一の線と上記第三の線とをはさむ第一のコアと、
上記第一の線と上記第四の線とをはさむ第二のコアと、
上記第三の線と上記第四の線とへ接続するバンドパスフィルタと、
上記第一のコアと上記第二のコアとの間の第一の線と上記第二の線とを接続するように配置されたコンデンサと
を備えることを特徴とするブロッキングフィルタ。
【請求項９】
Ａ１端子、Ａ２端子、Ｈ１端子、Ｈ２端子とを備えたブロッキングフィルタにおいて、
上記Ａ１端子へ接続する第一の変換部と、
上記Ｈ１端子へ接続する第二の変換部と、
上記第一の変換部と上記第二の変換部との間に配置されたバンドパスフィルタと、
上記Ａ２端子と上記Ｈ２端子とを接続した接続点に一方の端子を接続し、上記第一の変換部と上記第二の変換部とが接続する接続点へ他方の端子を接続する高周波信号短絡回路と
を備え、
上記第一の変換部は、上記第二の変換部と上記バンドパスフィルタとへ接続し、上記Ａ１端子から交流電流を入力して上記第二の変換部へ出力するとともに、入力した交流電流から所定の周波数の信号を抽出して上記バンドパスフィルタへ出力し、
上記第二の変換部は、上記第一の変換部と上記バンドパスフィルタとへ接続し、上記第一の変換部から交流電流を入力するとともに、上記バンドパスフィルタから上記所定の周波数の信号を入力し、上記交流電流と上記所定の周波数の信号とを合成して上記Ｈ１端子へ出力することを特徴とするブロッキングフィルタ。
【請求項１０】
上記第一の変換部は、上記高周波信号短絡回路と協同して上記所定の周波数の信号を含む信号を抽出するとともに低周波交流電流を分離することを特徴とする請求項９記載のブロッキングフィルタ。
【発明の詳細な説明】
【０００１】
【発明の属する技術分野】
この発明は、電力線搬送に関するもので、アクセス系と宅内系を分離するとともに必要に応じて宅内系とアクセス系間を通信できるブロッキングフィルタに関するものである。
【０００２】
【従来の技術】
アクセス系と宅内系を分離するとともに、必要に応じて宅内系とアクセス系間を通信するため、従来の方法としてアクセス系と宅内系の間にブロッキングフィルタ及びゲートウエイを挿入する方法があった。
図１２は、アクセス系と宅内系を示す模式図であり、アクセス系と宅内系の間にブロッキングフィルタ及びゲートウエイを挿入する従来の方法を示す。
図１２において、ＧＷはゲートウエイ、ＢＬＦはブロッキングフィルタ、ＰＬＣ−Ｈ１及びＰＬＣ−Ｈ２は宅内用電力線搬送モデム、ＰＬＣ−Ａはアクセス系用電力線搬送モデムである。
図１３は、図１２に示すゲートウエイＧＷ及びブロッキングフィルタＢＬＦの内部概略構成の例を示す図である。
ブロッキングフィルタＢＬＦは、インダクタＬＰ１，ＬＰ２，ＬＰ３及びコンデンサＣＰ１，ＣＰ２から成り、ゲートウエイＧＷは下り系（アクセス系から宅内系への通信）として結合器１０１、下り制御部１０２、増幅器ＡＭＰ１、結合器１０３、及び上り系（宅内系からアクセス系への通信）として結合器１０６、上り制御部１０５、増幅器ＡＭＰ２、結合器１０４から構成される。
【０００３】
次に、動作について説明する。
図１３の端子Ａ１０１，Ａ１０２はアクセス系の引込み線、Ｈ１０１，Ｈ１０２は宅内系の屋内配線に接続し、交流５０／６０Ｈｚ（ローパスフィルタ特性のカットオフ周波数ｆ１以下）は通過させるが、電力線搬送信号は減衰させてアクセス系と宅内系を分離させる。
図１４は、図１３に示す電力線搬送用ブロッキングフィルタの入出力電圧比周波数特性を示したものである。
宅内系電力線搬送モデムどうし（ＰＬＣ−Ｈ１及びＰＬＣ−Ｈ２間）の通信では、信号は端子Ｈ１０１とＨ１０２間に現れるが、ブロッキングフィルタＢＬＦ内の１段目のローパスフィルタ部分（インダクタＬＰ３とコンデンサＣＰ２）で減衰、さらに２段目のローパスフィルタ部分（インダクタＬＰ２とコンデンサＣＰ１）で減衰し、アクセス系（出力端子Ａ１０１，Ａ１０２）には信号が現れない。カットオフ周波数ｆ１は、インダクタＬＰ３とコンデンサＣＰ２及びＬＰ２とＣＰ１によって決まり、カットオフ周波数を下げるためには、インダクタＬＰ３及びＬＰ２を増やすか、コンデンサＣＰ２及びＣＰ１の容量を増加させる。
【０００４】
一方、宅内系とアクセス系間の通信が必要となったときには、宅内用モデムからゲートウエイＧＷに対して屋内配線１０７を通じて制御信号を送出してアクセス系との通信を要求する。ゲートウエイＧＷは、アクセス系用モデムＰＬＣ−Ａと引込み線１０８経由で通信して接続処理を行い、宅内用モデムＰＬＣ−Ｈ１またはＰＬＣ−Ｈ２とアクセス系用モデムＰＬＣ−Ａ間の通信をゲートウエイＧＷ経由で可能化する。
したがって、宅内用電力線搬送モデムどうしの通信が隣家に漏れたり、アクセス系用電力線搬送モデムに影響を与えることなく、アクセス系と通信が必要なときだけゲートウエイ経由で通信を行うことができる。
【０００５】
【発明が解決しようとする課題】
従来の電力搬送用ブロッキングフィルタは、以上のように構成されていたため、各家庭にゲートウエイ及び電力搬送用ブロッキングフィルタの両方が必要であり、コストが高く装置が大型となる問題点があった。
【０００６】
この発明は、上記のような問題点を解決するためになされたもので、コストを低下させ、装置の小型化を可能とする電力線搬送ブロッキングフィルタを提供することを目的とする。
【０００７】
【課題を解決するための手段】
この発明に係るブロッキングフィルタは、Ａ１端子、Ａ２端子、Ｈ１端子、Ｈ２端子とを備えたブロッキングフィルタにおいて、
Ｐ巻線とＱ巻線とを有する第一のトランスと、
Ｒ巻線とＳ巻線とを有する第二のトランスと、
上記第一のトランスと上記第二のトランスとの間に配置され、上記第一のトランスのＱ巻線と第二のトランスのＲ巻線との間に挿入され、上記Ｑ巻線と上記Ｒ巻線とへ接続するバンドパスフィルタと、
Ａ２端子とＨ２端子とを接続した接続点に一方の端子を接続するようにしたコンデンサと
を備え、
上記Ｐ巻線と上記Ｓ巻線とは、それぞれ二つの端子を有し、
上記Ａ１端子は、上記Ｐ巻線の一方の端子と接続し、
上記Ｈ１端子は、上記Ｓ巻線の一方の端子と接続し、
上記Ｐ巻線の他方の端子は、上記Ｓ巻線の他方の端子へ接続し、
上記コンデンサの他方の端子は、上記Ｐ巻線の他方の端子と上記Ｓ巻線の他方の端子とを接続する接続点へ接続することを特徴とする。
【０００８】
上記第一のトランスと上記第二のトランスとの少なくともいずれか一方は、二分割コアを電線に挟みこんだ後に、コアを合わせて形成することを特徴とする。
【０００９】
この発明に係るブロッキングフィルタは、Ａ１端子、Ａ２端子、Ｈ１端子、Ｈ２端子とを備えたブロッキングフィルタにおいて、
Ｐ巻線とＱ巻線とを有し、上記Ｐ巻線の一方の端子が上記Ａ１端子と接続するする第一のトランスと、
Ｒ巻線とＳ巻線とを有し、上記Ｓ巻線の一方の端子が上記Ｈ１端子と接続する第二のトランスと、
上記第一のトランスのＱ巻線と上記第二のトランスのＲ巻線との間に配置されるバンドパスフィルタと、
上記Ｐ巻線の他方の端子と、上記Ｓ巻線の他方の端子との間に配置され、上記Ｐ巻線の他方の端子と上記Ｓ巻線の他方の端子とへ接続するインダクタンスと、
Ａ２端子と接続し、上記インダクタンスと上記Ｐ巻線の他方の端子とを接続する接続点へ接続する第一のコンデンサと、
Ｈ２端子と接続し、上記インダクタンスと上記Ｓ巻線の他方の端子とを接続する接続点へ接続する第二のコンデンサと
を備えることを特徴とする。
【００１０】
上記ブロッキングフィルタは、さらに、
上記第一のトランスのＰ巻線と並列に接続するコンデンサと、
上記第二のトランスのＳ巻線と並列に接続するコンデンサと
を備えることを特徴とする。
【００１１】
この発明に係るブロッキングフィルタは、Ａ１端子、Ａ２端子、Ｈ１端子、Ｈ２端子とを備えたブロッキングフィルタにおいて、
Ｐ巻線とＱ巻線とを有しＰ巻線の一方の端子が上記Ａ１端子と接続する第一のトランスと、
Ｒ巻線とＳ巻線とを有しＳ巻線の一方の端子が上記Ｈ１端子と接続する第二のトランスと、
Ｔ巻線とＵ巻線とを有しＴ巻線の一方の端子が上記Ａ２端子と接続する第三のトランスと、
Ｖ巻線とＷ巻線とを有しＷ巻線の一方の端子が上記Ｈ２端子と接続する第四のトランスと、
上記第一のトランスのＱ巻線と上記第二のトランスのＲ巻線との間に配置される第一のバンドパスフィルタと、
上記第三のトランスのＵ巻線と上記第四のトランスのＶ巻線との間に配置される第二のバンドパスフィルタと、
コンデンサと
を備え、
上記第二のトランスのＳ巻線の他方の端子は、上記第一のトランスのＰ巻線の他方の端子へ接続し、
上記第四のトランスのＷ巻線の他方の端子は、上記第三のトランスのＴ巻線の他方の端子へ接続し、
上記コンデンサは、上記Ｓ巻線の他方の端子が上記Ｐ巻線の他方の端子へ接続する接続点と上記Ｗ端子の他方の端子が上記Ｔ端子の他方のへ接続する接続点とへ接続することを特徴とする。
【００１２】
上記ブロッキングフィルタは、積算電力計に備えられ、
上記第一のトランスのＰ巻線と上記第二のトランスのＳ巻線との少なくともいずれか一方は、積算電力計が有するコイルであることを特徴とする。
【００１３】
上記第一のトランスのＰ巻線と上記第二のトランスのＳ巻線との少なくともいずれか一方は、上記コイルに対応するインダクタを有することを特徴とする。
【００１４】
この発明に係るブロッキングフィルタは、第一の線と、
第二の線と、
第三の線と、
第四の線と、
上記第一の線と上記第三の線とをはさむ第一のコアと、
上記第一の線と上記第四の線とをはさむ第二のコアと、
上記第三の線と上記第四の線とへ接続するバンドパスフィルタと、
上記第一のコアと上記第二のコアとの間の第一の線と上記第二の線とを接続するように配置されたコンデンサと
を備えることを特徴とする。
【００１５】
この発明に係るブロッキングフィルタは、Ａ１端子、Ａ２端子、Ｈ１端子、Ｈ２端子とを備えたブロッキングフィルタにおいて、
上記Ａ１端子へ接続する第一の変換部と、
上記Ｈ１端子へ接続する第二の変換部と、
上記第一の変換部と上記第二の変換部との間に配置されたバンドパスフィルタと、
上記Ａ２端子と上記Ｈ２端子とを接続した接続点に一方の端子を接続し、上記第一の変換部と上記第二の変換部とが接続する接続点へ他方の端子を接続する高周波信号短絡回路と
を備え、
上記第一の変換部は、上記第二の変換部と上記バンドパスフィルタとへ接続し、上記Ａ１端子から交流電流を入力して上記第二の変換部へ出力するとともに、入力した交流電流から所定の周波数の信号を抽出して上記バンドパスフィルタへ出力し、
上記第二の変換部は、上記第一の変換部と上記バンドパスフィルタとへ接続し、上記第一の変換部から交流電流を入力するとともに、上記バンドパスフィルタから上記所定の周波数の信号を入力し、上記交流電流と上記所定の周波数の信号とを合成して上記Ｈ１端子へ出力することを特徴とする。
【００１６】
上記第一の変換部は、上記高周波信号短絡回路と協同して上記所定の周波数の信号を含む信号を抽出するとともに低周波交流電流を分離することを特徴とする。
【００１７】
【発明の実施の形態】
実施の形態１．
図１は、この発明の実施の形態１を示すブロッキングフィルタ（電力線搬送用ブロッキングフィルタ）構成図である。
この実施の形態のブロッキングフィルタは、２個のトランスＴ１，Ｔ２の巻線によるインダクタンス成分を利用してコンデンサＣ１とともにＬＣローパスフィルタを形成するとともに、トランスＴ１，Ｔ２間にアクセス系信号をバイパスさせるバンドパスフィルタ（ＢＰＦ）を挿入するようにしてゲートウエイを除去可能とした。
【００１８】
図１において、Ｔ１及びＴ２はトランス、Ｃ１はコンデンサ、ＢＰＦはバンドパスフィルタである。
また、図２は、この発明の実施の形態１におけるトランスＴ１及びＴ２の実現例であり、トロイダルコアを用いている。
図３は、この発明の実施の形態１におけるＴ１及びＴ２の別の実現例であり、組み立て時には２分割コアをａ部とｂ部に分割して電線３〜４及び１〜２をはさんだ後、ａ部とｂ部とを合わせる。図３では、電線をコアに通すだけで、コアに電線を巻きつける必要がないため、活線のまま取付けが可能である。
なお、図２，図３では、電線を区別するためにＢＰＦへ接続する電線を黒塗り、その他の電線を白抜きで表している。
また、この明細書においては、図３に一例として示すコアに通した電線も巻線に含まれる。
【００１９】
次に、動作について説明する。
図１の端子Ａ１，Ａ２はアクセス系の引込み線（アクセス系端子）、Ｈ１，Ｈ２は宅内系端子である。宅内系端子Ｈ１，Ｈ２は、宅内系の屋内配線に接続し、交流５０／６０Ｈｚは通過させるとともに、アクセス系と通信するための周波数帯を通過させる。
図４は、図１に示す電力線搬送用ブロッキングフィルタの入出力電圧比の周波数特性を示したものである。
ローパスフィルタ特性のカットオフ周波数ｆ１以下の周波数では交流５０／６０Ｈｚを通過させ、周波数帯ｆ２〜ｆ３はＢＰＦによってアクセス系と通信するための周波数帯を通過させるものである。宅内用電力線搬送モデムどうしでの通信では、周波数ｆ２〜ｆ３以外の周波数帯（例えば、図４に示すｆ４〜ｆ５）を使用し、電力線搬送用ブロッキングフィルタの出力（アクセス系側）に信号が現れないようにする。一方、アクセス系用電力線搬送モデムとの通信では、周波数帯ｆ２〜ｆ３を使用し、電力線搬送用ブロッキングフィルタを経由したときに信号が減衰しないようにする。
【００２０】
宅内系電力線搬送モデムどうしの通信では、信号はブロッキングフィルタＢＬＦの端子Ｈ１とＨ２間に現れるが、トランスＴ２のインダクタンス成分及びコンデンサＣ１によるローパスフィルタ部分が形成されているため減衰し、アクセス系端子（出力端子Ａ１，Ａ２）には信号が現れない。カットオフ周波数ｆ１は、トランスＴ２のインダクタンス成分とコンデンサＣ１によって決まり、カットオフ周波数を下げるためには、トランスＴ２のインダクタンス成分を増やすかコンデンサＣ１の容量を増加させる。
なお、トランスＴ２経由でバンドパスフィルタＢＰＦにも信号が伝わるが、バンドパスフィルタＢＰＦの特性によって通信帯域（ｆ４〜ｆ５）の信号は減衰してアクセス系端子Ａ１，Ａ２に現れない。
【００２１】
アクセス系用電力線搬送モデムとの通信では、宅内系からの信号（周波数帯ｆ２〜ｆ３）がブロッキングフィルタＢＬＦの宅内系端子Ｈ１とＨ２間に現れる。コンデンサＣ１は、高周波においては非常にインピーダンスが小さく（導通とみなすことができる）なるため、トランスＴ２の両端（信号線７，８）に信号が印加され、信号線５，６経由バンドパスフィルタＢＰＦによって周波数帯ｆ２〜ｆ３のみ通過してトランスＴ１（信号線３，４）に現れる。そして、アクセス系端子Ａ１，Ａ２間に周波数帯ｆ２〜ｆ３の信号が出力される（コンデンサＣ１は、高周波においてインピーダンスが小さくなり、信号線２と９のレベルはほぼ同一）。
【００２２】
また、アクセス系からの信号がブロッキングフィルタへ入力される場合は、上記宅内系からの信号がブロッキングフィルタへ入力される場合と同様の動作で実施することができる。
【００２３】
以上のように、電力線搬送用ブロッキングフィルタがトランス２個、バンドパスフィルタ及びコンデンサ１個による簡単な構成でき、ゲートウエイを用いずにアクセス系に影響を与えることなく宅内系どうしの通信、及び宅内系とアクセス系の通信が実現できる。回路構成の簡素化及び各家庭のゲートウエイ除去により、安価なコスト及び装置全体の小型化を可能とする。
【００２４】
上記説明したように、この実施の形態のブロッキングフィルタは、第１のトランス１次側巻線のコールド側と第２のトランス２次側巻線コールド側を接続するとともに、その接続点にコンデンサを接続し、該コンデンサの反対側の端子をフィルタのアクセス系端子及び宅内系端子の各コールド側に接続する。フィルタのアクセス系端子ホット側は上記第１のトランスの１次側巻線のホット側、フィルタの宅内系端子ホット側は上記第２のトランスの２次側のホット側とし、この第１のトランスの２次巻線と第２のトランスの１次側巻線との間にアクセス系信号をバイパスさせるバンドパスフィルタを挿入するようにしたことを特徴とする。
【００２５】
実施の形態２．
以上の実施の形態１では、ローパスフィルタの特性をトランス及びコンデンサにより得ているが、コンデンサ部分にインダクタを併用させることによりローパスフィルタ特性を改善させることができる。この実施の形態を次に示す。
図５は、このような構成とした電力線搬送用ブロッキングフィルタの構成図である。
図において、Ｌ１はインダクタ、Ｃ２，Ｃ３はコンデンサであり、バンドパスフィルタＢＰＦ、トランスＴ１，Ｔ２は、図１の構成図と同様のものである。
【００２６】
次に、動作について説明する。
実施の形態２において、入出力電圧比周波数特性は、基本的には図４と同様である。カットオフ周波数ｆ１以下の周波数では交流５０／６０Ｈｚを通過させ、周波数帯ｆ２〜ｆ３はＢＰＦによってアクセス系と通信するための周波数帯を通過させる。宅内用電力線搬送モデムどうしでの通信、そして、アクセス系用電力線搬送モデムとの通信に対する周波数の使用方法は実施の形態１と同様である。ただし、カットオフ周波数ｆ１より周波数が高くなるにつれ、徐々に減衰していくスロープ部分（図４における１２）が図４と比較して急峻になる。
【００２７】
宅内系電力線搬送モデムどうしの通信では、信号は宅内系端子Ｈ１とＨ２間に現れるが、トランスＴ２のインダクタンス成分とコンデンサＣ３によるローパスフィルタ、さらにインダクタＬ１とコンデンサＣ２によるローパスフィルタが形成されているため減衰し、アクセス系（出力端子Ａ１，Ａ２）には信号が現れない。カットオフ周波数ｆ１は、トランスＴ２のインダクタンス成分とコンデンサＣ３、及びインダクタＬ１とコンデンサＣ２によって決まり、カットオフ周波数を下げるためには、トランスＴ２、インダクタＬ１のインダクタンス成分を増やすか、コンデンサＣ２，Ｃ３の容量を増加させる。
なお、トランスＴ２経由でバンドパスフィルタＢＰＦにも信号が伝わるが、バンドパスフィルタＢＰＦの特性によって通信帯域（ｆ４〜ｆ５）の信号は減衰して、アクセス系端子Ａ１，Ａ２に現れない。
【００２８】
アクセス系用電力線搬送モデムとの通信では、宅内系からの信号（周波数帯ｆ２〜ｆ３）がブロッキングフィルタＢＬＦの宅内系端子Ｈ１とＨ２間に現れる。コンデンサＣ３は、高周波においては非常にインピーダンスが小さく（導通とみなすことができる）なるため、トランスＴ２の両端（信号線７，８）に信号が印加され、信号線５，６経由バンドパスフィルタＢＰＦによって周波数帯ｆ２〜ｆ３のみ通過してトランスＴ１（信号線３，４）に現れる。そして、アクセス系端子Ａ１，Ａ２間に周波数帯ｆ２〜ｆ３の信号が出力される（コンデンサＣ３は、高周波においてインピーダンスが小さくなり、信号線２と９のレベルはほぼ同一）。
【００２９】
また、アクセス系からの信号がブロッキングフィルタへ入力される場合は、上記宅内系からの信号がブロッキングフィルタへ入力される場合と同様の動作で実施することができる。
【００３０】
以上のように、実施の形態１の構成にインダクタ１個とコンデンサ１個とを追加してローパスフィルタ特性を強化したため、宅内系で使用する周波数帯域（ｆ４〜ｆ５）が比較的低い周波数であっても十分な減衰を得ることができる。すなわち、実施の形態１の特長に加えて宅内系の周波数が低い場合にも適用でき、回路構成の簡素化及び各家庭のゲートウエイ除去により、安価なコスト及び装置全体の小型化を可能とする。
【００３１】
上記説明したように、この実施の形態のブロッキングフィルタは、第１のトランス１次側巻線のコールド側と第２のトランス２次側巻線コールド側の間にインダクタを挿入した状態で接続するとともに、そのインダクタの両側に各々コンデンサを接続し、該２個のコンデンサの反対側端子を接続、かつ、フィルタのアクセス系端子及び宅内系端子の各コールド側に接続する。フィルタのアクセス系端子ホット側は上記第１のトランスの１次側巻線のホット側、フィルタの宅内系端子ホット側は上記第２のトランスの２次側のホット側とし、この第１のトランスの２次側巻線と第２のトランスの１次側巻線との間にアクセス系信号をバイパスさせるバンドパスフィルタを挿入するようにしたことを特徴とする。
【００３２】
実施の形態３．
次に、トランスの巻線と並列にコンデンサを挿入してバンドパス特性を改善する実施の形態を示す。
図６は、このような構成とした電力線搬送用ブロッキングフィルタの構成図である。
図において、Ｃ５，Ｃ６はコンデンサであり、それ以外のトランスＴ１，Ｔ２、コンデンサＣ１、バンドパスフィルタＢＰＦは、実施の形態１で示した図１の構成と同様のものである。
【００３３】
次に、動作について説明する。
実施の形態３において、入出力電圧比周波数特性は、基本的には図４と同様である。カットオフ周波数ｆ１以下の周波数では交流５０／６０Ｈｚを通過させ、周波数帯ｆ２〜ｆ３はＢＰＦによってアクセス系と通信するための周波数帯を通過させる。宅内用電力線搬送モデムどうしでの通信、そして、アクセス系用電力線搬送モデムとの通信に対する周波数の使用方法は、実施の形態１と同様である。ただし、アクセス系との通信のための周波数帯（ｆ２〜ｆ３）付近のスロープ部分（図４における１４及び１６）が、図４と比較して急峻になる。
【００３４】
宅内系電力線搬送モデムどうしの通信では、信号は宅内系端子Ｈ１とＨ２間に現れるが、トランスＴ２のインダクタンス成分とコンデンサＣ１によるローパスフィルタが形成されているため減衰し、アクセス系（出力端子Ａ１，Ａ２）には信号が現れない。カットオフ周波数ｆ１は、トランスＴ２のインダクタンス成分とコンデンサＣ１によって決まり、カットオフ周波数を下げるためには、トランスＴ２のインダクタンス成分を増やすか、コンデンサＣ１の容量を増加させる。なお、トランスＴ２とコンデンサＣ６は、並列共振回路を形成しており、この共振周波数は通過周波数帯ｆ２〜ｆ３の中心周波数に設定される。したがって、宅内系電力線搬送モデムどうしの通信帯域（ｆ４〜ｆ５）の周波数は、バンドパスフィルタＢＰＦの特性と相まってアクセス系端子Ａ１，Ａ２に現れない。
【００３５】
アクセス系用電力線搬送モデムとの通信では、宅内系からの信号（周波数帯ｆ２〜ｆ３）がブロッキングフィルタＢＬＦの宅内系端子Ｈ１とＨ２間に現れる。コンデンサＣ１は、高周波においては非常にインピーダンスが小さく（導通とみなすことができる）なるため、トランスＴ２の両端（信号線７，８）に信号が印加され、信号線５，６経由バンドパスフィルタＢＰＦによって周波数帯ｆ２〜ｆ３のみ通過して、トランスＴ１（信号線３，４）に現れる。そして、アクセス系端子Ａ１，Ａ２間に周波数帯ｆ２〜ｆ３の信号が出力される（コンデンサＣ１は、高周波においてインピーダンスが小さくなり、信号線２と９のレベルはほぼ同一）。
【００３６】
また、アクセス系からの信号がブロッキングフィルタへ入力される場合は、上記宅内系からの信号がブロッキングフィルタへ入力される場合と同様の動作で実施することができる。
【００３７】
以上のように、実施の形態１の構成の各トランスにコンデンサを１個づつ追加して、並列共振回路を形成してバンドパスフィルタ特性を強化したため、アクセス系用電力線搬送モデムとの通信における電磁波スプリアスを減少させることができる。すなわち、実施の形態１の特長に加えて電磁波スプリアスを減らす効果が得られ、回路構成の簡素化及び各家庭のゲートウエイ除去により、安価なコスト及び装置全体の小型化を可能とする。
ただし、通過周波数帯が広くｆ２〜ｆ３が離れている場合は、通過帯域内（図４の１５の部分）が平坦とならず、この実施の形態は適さない。
【００３８】
上記説明したように、この実施の形態のブロッキングフィルタは、実施の形態１のブロッキングフィルタに加え、第１のトランスの巻線及び第２のトランス巻線と並列にコンデンサを接続することを特徴とする。
【００３９】
実施の形態４．
次に、電力線２線に対して平衡となる電力線搬送ブロッキングフィルタの実施の形態を示す。
図７は、このような構成とした電力線搬送用ブロッキングフィルタの構成図である。
図において、Ｃ４はコンデンサであり、それ以外のトランスＴ３〜Ｔ６、バンドパスフィルタＢＰＦ１，ＢＰＦ２は実施の形態１で示した図１の構成と同様のものである。
【００４０】
次に、動作について説明する。
実施の形態４において、入出力電圧比周波数特性は図４と同様である。カットオフ周波数ｆ１以下の周波数では交流５０／６０Ｈｚを通過させ、周波数帯ｆ２〜ｆ３はＢＰＦによってアクセス系と通信するための周波数帯を通過させる。宅内用電力線搬送モデムどうしでの通信、そしてアクセス系用電力線搬送モデムとの通信に対する周波数の使用方法は実施の形態１と同様である。
【００４１】
宅内系電力線搬送モデムどうしの通信では、信号は宅内系端子Ｈ１とＨ２間に現れるが、トランスＴ４及びＴ６のインダクタンス成分とコンデンサＣ４によるローパスフィルタが形成されているため減衰し、アクセス系端子Ａ１，Ａ２には信号が現れない。カットオフ周波数ｆ１は、トランスＴ４及びＴ６のインダクタンス成分とコンデンサＣ４によって決まり、カットオフ周波数を下げるためには、トランスＴ４及びＴ６のインダクタンス成分を増やすかコンデンサＣ４の容量を増加させる。
なお、トランスＴ４及びＴ６経由でバンドパスフィルタＢＰＦ１及びＢＰＦ２にも信号が伝わるが、バンドパスフィルタＢＰＦ１，ＢＰＦ２の特性によって通信帯域（ｆ４〜ｆ５）の信号は減衰してアクセス系端子Ａ１，Ａ２に現れない。
【００４２】
アクセス系用電力線搬送モデムとの通信では、宅内系からの信号（周波数帯ｆ２〜ｆ３）が端子Ｈ１とＨ２間に現れる。コンデンサＣ４は、高周波においては非常にインピーダンスが小さく（導通とみなすことができる）なるため、トランスＴ４の両端（信号線１１，１２）及びＴ６の両端（信号線１３，１４）に信号が印加される。そして、信号線１５，１６経由バンドパスフィルタＢＰＦ１、及び信号線１７，１８経由バンドパスフィルタＢＰＦ２によって周波数帯ｆ２〜ｆ３の信号が通過して、トランスＴ３（信号線２３，２４）、及びトランスＴ５（信号線２５，２６）に現れる。したがって、アクセス系端子Ａ１，Ａ２間に周波数帯ｆ２〜ｆ３の信号が出力される（コンデンサＣ４は、高周波においてインピーダンスが小さくなり、信号線２４と２５のレベルはほぼ同一）。
【００４３】
また、アクセス系からの信号がブロッキングフィルタへ入力される場合は、上記宅内系からの信号がブロッキングフィルタへ入力される場合と同様の動作で実施することができる。
【００４４】
以上のように、実施の形態１の構成を基に電力線２線に対して平衡となるように構成したため、アクセス系及び宅内系の電力線に重畳する信号を接地に対して平衡に扱うことができ、接地との間に発生しているコモンモードノイズの影響を減少させることができる。すなわち、実施の形態１の特長に加えてノイズの除去特性に優れた効果が得られ、回路構成の簡素化及び各家庭のゲートウエイ除去により、安価なコスト及び装置全体の小型化を可能とする。
【００４５】
上記説明したように、この実施の形態のブロッキングフィルタは、第１のトランス１次側巻線のコールド側と第２のトランス２次側巻線コールド側を接続するとともに、その接続点にコンデンサを接続し、該コンデンサの反対側の端子を第３のトランス１次側巻線のコールド側と第４のトランス２次側巻線コールド側を接続する。フィルタのアクセス系端子ホット側は上記第１のトランス１次側巻線のホット側、フィルタの宅内系端子ホット側は上記第２のトランス２次側のホット側とし、この第１のトランスの２次巻線と第２のトランスの１次側巻線との間にアクセス系信号をバイパスさせるバンドパスフィルタを挿入、さらにフィルタのアクセス系コールド側は上記第３のトランス１次側巻線のホット側、フィルタの宅内系端子ホット側は上記第４のトランス２次側巻線のホット側とし、この第３のトランス２次側巻線と第４のトランス１次側巻線との間にアクセス系信号をバイパスさせるバンドパスフィルタを挿入するようにしたことを特徴とする。
【００４６】
実施の形態５．
実施の形態５では、実施の形態１のトランスに代えて、積算電力計（ワッタメータ）のコイル及びこのコイルに各々結合させた別のコイルを設ける。積算電力計は、各家庭への引き込み線から宅内配線への間についているものである。以下、積算電力計とワッタメータは同じものを表す。
図８は、実施の形態５を示す電力線搬送用ブロッキングフィルタの構成図である。
図において、Ｃ７はコンデンサ、Ｌ２，Ｌ３はワッタメータのコイル、Ｌ４，Ｌ５はＬ２，Ｌ３に各々結合させたコイル、ＢＰＦはバンドパスフィルタである。
実施の形態１のトランスＴ１及びＴ２に代えて、ワッタメータのコイルＬ２，Ｌ３に各々結合させたコイルＬ４，Ｌ５を設けており、動作上は実施の形態１と同様であるので、説明は省略する。
【００４７】
以上のように、トランスに代えて、ワッタメータのコイル及びこのコイルに各々結合させた別のコイルを設けたため、ワッタメータに内蔵することが容易となる。すなわち、実施の形態１の特長である回路構成の簡素化及び各家庭のゲートウエイ除去に加えて、ワッタメータに内蔵することでトランスを不要化する。
【００４８】
上記説明したように、この実施の形態のブロッキングフィルタは、実施の形態１のブロッキングフィルタに加え、第１のトランス１次側巻線及び第２のトランス２次側巻線の代わりにワッタメータのコイルを使用するとともに、このワッタメータの各コイルと電磁結合するようにインダクタを各々実装して第１のトランスの２次側巻線及び第２のトランス１次側巻線となるようにしたことを特徴とする。
【００４９】
実施の形態６．
実施の形態６は、ワッタメータのコイルが２分割されていないワッタメータに適用するものである。
図９は、実施の形態６を示す電力線搬送用ブロッキングフィルタの構成図である。
図において、Ｃ８はコンデンサ、Ｌ６はワッタメータのコイル、Ｌ７はＬ６に結合されたコイル、Ｔ７はトランス、ＢＰＦはバンドパスフィルタである。
実施の形態１のトランスＴ１に代えて、ワッタメータのコイルＬ６に各々結合させたコイルＬ７を設けており、動作上は実施の形態１と同様であるので、説明は省略する。
【００５０】
以上のように、ワッタメータのコイル及びこのコイルに結合させた別のコイルを設けるとともに、トランスを使用したため、コイルが分割されていないワッタメータに内蔵することが容易となる。
【００５１】
上記説明したように、この実施の形態のブロッキングフィルタは、実施の形態１のブロッキングフィルタに加え、第１のトランス１次側巻線の代わりにワッタメータのコイルを使用するとともに、このワッタメータのコイルと電磁結合するようにインダクタを実装して第１のトランスの２次側巻線となるようにしたことを特徴とする。
【００５２】
実施の形態７．
また、ブロッキングフィルタは、下記のような特徴を有するフィルタであるともいえる。
図１０は、この実施の形態のブロッキングフィルタの構成の一例を表す図である。
図１０に示すブロッキングフィルタは、第一の線と第二の線と第三の線と第四の線と二つのコア（二分割コア）とバンドパスフィルタとコンデンサとを有する。このブロッキングフィルタは、第一の線へ二つのコアをはさみ込み、上記二つのコアの間にバンドパスフィルタを配置し、第一の線と第二の線との間にコンデンサを配置したものである。具体的には、下記の構成を有する。
【００５３】
上記第一の線は、Ａ１端子とＨ１端子とを有し、さらに、第一のコア１１０と第二のコア２１０とがはさまれている。
上記第二の線は、Ａ２端子とＨ２端子とを有する。
第三の線の両端と第四の線の両端とは、バンドパスフィルタへ接続する。第一のコア１１０は、第一の線と第三の線とをはさみ、第二のコア２１０は、第一の線と第四の線とをはさむ。第一のコア１１０は、図１のトランスＴ１に対応し、第二のコア２１０は、図１のトランスＴ２に対応する。
【００５４】
実施の形態８．
上記の実施の形態１から６では、この発明に係るブロッキングフィルタの一例を説明したが、上記実施の形態で説明したブロッキングフィルタに限られるわけではない。下記に示すようなブロッキングフィルタであれば、上記以外の構成であってもかまわない。
図１１は、この実施の形態のブロッキングフィルタの構成の一例を示す図である。
【００５５】
この発明に係るブロッキングフィルタは、二つのアクセス系端子（Ａ１端子、Ａ２端子）と、二つの宅内系端子（Ｈ１端子、Ｈ２端子）と、一方のアクセス系端子へ接続する第一の変換部１００と、一方の宅内系端子へ接続する第二の変換部２００と、第一の変換部と上記第二の変換部との間に配置され、所定の高周波数の信号を通過させるバンドパスフィルタと、上記他方のアクセス系端子と上記他方の宅内系端子とへ接続し、所定の周波数の信号を除去する高周波信号短絡回路３００とを備える。
高周波信号短絡回路３００は、上記Ａ２端子と上記Ｈ２端子とを接続した接続点に一方の端子を接続し、上記第一の変換部１００と上記第二の変換部２００とが接続する接続点へ他方の端子を接続する。
以下、「第一の変換部１００と第二の変換部２００」との両方あるいはいずれか一方を「変換部」ともいう。
【００５６】
また、下記の点を特徴とする。
上記第一の変換部１００は、上記第二の変換部２００とバンドパスフィルタとへ接続し、上記Ａ１端子から交流電流を入力して上記第二の変換部２００へ出力するとともに、入力した交流電流から所定の周波数の信号を抽出して上記バンドパスフィルタへ出力する。
上記第二の変換部２００は、上記第一の変換部１００と上記バンドパスフィルタとへ接続し、上記第一の変換部１００から交流電流を入力するとともに、上記バンドパスフィルタから上記所定の周波数の信号を入力し、上記交流電流と上記所定の周波数の信号とを合成して上記Ｈ１端子へ出力する。
上記高周波信号短絡回路３００は、上記Ａ２端子と上記Ｈ２端子とを接続した接続点と、上記第一の変換部と上記第二の変換部とが接続する接続点とを短絡する。
【００５７】
上記高周波信号短絡回路３００は、上記第一の変換部１００と上記第二の変換部２００とが接続する接続部分へ接続する。
また、上記変換部は、インダクタンス成分を有し、上記高周波信号短絡回路３００と協同して上記所定の周波数の信号を含む信号を抽出するとともに、低周波交流電流を分離する。例えば、トランスとコンデンサによって、上記機能を実現する。
また、上記第一の変換部１００から上記第二の変換部２００へ交流電流や信号を通過させる場合は、上記と逆の手順により実施する。
【００５８】
上記変換部の一例はトランスである。また、上記高周波信号短絡回路３００の一例は、コンデンサ、あるいは、コンデンサとインダクタとの組み合わせである。これらは一例であり、上記変換器、上記高周波信号短絡回路３００は、他の構成要素から構成されていてもかまわない。
【００５９】
上記バンドパスフィルタは、２つの変換部それぞれが有するインダクタンス成分と高周波信号短絡回路３００とによってローパスフィルタを形成するとともに、二つの変換部の間にアクセス系信号をバイパスさせるバンドパスフィルタを挿入すしてゲートウェイを除去することを可能とした。上記のような構成を有することにより、交流電流と所定の周波数の信号を通過させるとともに、所定の周波数の信号を通過させない（遮断する）ブロッキングフィルタを実現する。このようにして、安価で、小型化が可能なブロッキングフィルタを提供する。
【００６０】
【発明の効果】
以上のように、この発明の実施の形態１によれば、電力線搬送用ブロッキングフィルタがトランス２個、バンドパスフィルタ及びコンデンサ１個による簡単な構成でき、ゲートウエイを用いずにアクセス系に影響を与えることなく宅内系どうしの通信、及び宅内系とアクセス系の通信が実現できる。回路構成の簡素化及び各家庭のゲートウエイ除去により、安価なコスト及び装置全体の小型化できる効果がある。
【００６１】
また、組み立て時には２分割コアで電線をはさんだ後、コアを合わせるようにしてコアに電線を巻きつける必要がないため、活線のまま取付けが可能となる。
【００６２】
この発明の実施の形態２によれば、ローパスフィルタ特性を強化したため、宅内系で使用する周波数帯域（ｆ４〜ｆ５）が比較的低い周波数であっても十分な減衰を得ることができる。
【００６３】
この発明の実施の形態３によれば、実施の形態１の構成の各トランスにコンデンサを１個づつ追加して、並列共振回路を形成してバンドパスフィルタ特性を強化したため、アクセス系用電力線搬送モデムとの通信における電磁波スプリアスを減少させることができる。
【００６４】
この発明の実施の形態４によれば、電力線２線に対して平衡となるように構成したため、アクセス系及び宅内系の電力線に重畳する信号を接地に対して平衡に扱うことができ、接地との間に発生しているノイズの除去特性に優れた効果が得られる。
【００６５】
この発明の実施の形態５によれば、トランスに代えて、ワッタメータのコイル及びこのコイルに各々結合させた別のコイルを設けたため、ワッタメータに内蔵することが容易となり、トランスを不要化する。
【００６６】
この発明の実施の形態６によれば、ワッタメータのコイル及びこのコイルに結合させた別のコイルを設けるとともに、トランスを使用したため、コイルが分割されていないワッタメータに内蔵することが容易となる。
【図面の簡単な説明】
【図１】  この発明の実施の形態１のブロッキングフィルタの一例を示す構成図。
【図２】  この発明の実施の形態１におけるトランスＴ１及びＴ２の実現例を示す図。
【図３】  この発明の実施の形態１におけるＴ１及びＴ２の別の実現例を示す図。
【図４】  図１の入出力電圧比周波数特性を示す図。
【図５】  この発明の実施の形態２のブロッキングフィルタの一例を示す構成図。
【図６】  この発明の実施の形態３のブロッキングフィルタの一例を示す構成図。
【図７】  この発明の実施の形態４のブロッキングフィルタの一例を示す構成図。
【図８】  この発明の実施の形態５のブロッキングフィルタの一例を示す構成図。
【図９】  この発明の実施の形態６のブロッキングフィルタの一例を示す構成図。
【図１０】  実施の形態７のブロッキングフィルタの構成の一例を表す図。
【図１１】  実施の形態８のブロッキングフィルタの構成の一例を示す図。
【図１２】  アクセス系と宅内系を示す模式図。
【図１３】  図１２に示すゲートウエイＧＷ及びブロッキングフィルタＢＬＦの内部概略構成の例を示す図。
【図１４】  図１３に示す電力線搬送用ブロッキングフィルタの入出力電圧比周波数特性を示す図。
【符号の説明】
１，２，３，４  電線、１００  第一の変換部、１０１，１０３，１０４，１０６  結合器、１０２，１０５  制御部、１１０，２１０  コア、２００  第二の変換部、３００  高周波信号短絡回路、Ａ１，Ａ２  アクセス系端子、Ａ１０１，Ａ１０２，Ｈ１０１，Ｈ１０２  端子、ＡＭＰ１，ＡＭＰ２  増幅器、ＢＬＦ  ブロッキングフィルタ、ＢＰＦ，ＢＰＦ１，ＢＰＦ２  バンドパスフィルタ、Ｃ１，Ｃ２，Ｃ３，Ｃ４，Ｃ５，Ｃ６，Ｃ７，Ｃ８，ＣＰ１，ＣＰ２  コンデンサ、ＧＷ  ゲートウエイ、Ｈ１，Ｈ２  宅内系端子、Ｌ１，ＬＰ１，ＬＰ２，ＬＰ３  インダクタ、Ｌ２，Ｌ３，Ｌ６  ワッタメータのコイル、Ｌ４，Ｌ５，Ｌ７  コイル、ＰＬＣ−Ａ  アクセス系用電力線搬送モデム、ＰＬＣ−Ｈ１，ＰＬＣ−Ｈ２  宅内用電力線搬送モデム、Ｔ１，Ｔ２，Ｔ３，Ｔ４，Ｔ５，Ｔ６，Ｔ７  トランス。
【図１】
0004056737.tif 000002
【図２】
0004056737.tif 000003
【図３】
0004056737.tif 000004
【図４】
0004056737.tif 000005
【図５】
0004056737.tif 000006
【図６】
0004056737.tif 000007
【図７】
0004056737.tif 000008
【図８】
0004056737.tif 000009
【図９】
0004056737.tif 000010
【図１０】
0004056737.tif 000011
【図１１】
0004056737.tif 000012
【図１２】
0004056737.tif 000013
【図１３】
0004056737.tif 000014
【図１４】
0004056737.tif 000015